(57)【要約】【課題】  大型折り畳みコンテナのフランジ部上面をフラットな状態としたままで小型コンテナを安定した状態でスタックすることができるコンテナのスタック構造を提供する。【解決手段】  小型コンテナの底面四隅部に嵌合凸部を突設し、該嵌合凸部に下方が開口した係合凹部を設けるとともに、大型折り畳みコンテナ１１の上面の四隅部には、長辺板上面端部と短辺板上面端部とにわたって小型コンテナの嵌合凸部を嵌合可能な嵌合凹部１５を設け、該大型折り畳みコンテナの長辺板上面中央部には、スタック時に小型コンテナの嵌合凸部の一部を収納可能な収納凹部１６を設けるとともに、該収納凹部内に前記嵌合凸部に設けた係合凹部に係合する係合凸部１７を設ける。【選択図】  図１
2006335388.tif 000002
【特許請求の範囲】
【請求項１】
矩形状の底板と、該底板の対向する長辺に下辺が回動可能に連結された一対の長辺板と、底板の対向する短辺に下辺が回動可能に連結された一対の短辺板とを有し、折り畳み時には底板上面に短辺板、長辺板の順に重ねて折り畳まれ、組立時には底板から立ち上げた両長辺板の内面両端部間に短辺板の両端を挟むようにして組み立てられる大型折り畳みコンテナの上に、長辺側の長さが大型折り畳みコンテナの短辺側の長さに相当し、短辺側の長さが大型折り畳みコンテナの長辺側の長さの半分に相当する小型コンテナを、該小型コンテナの一方の長辺側底辺を大型折り畳みコンテナの一方の短辺側上部に載置し、小型コンテナの短辺側底辺を大型折り畳みコンテナの長辺側上部一半部に載置した状態でスタックするための構造であって、前記小型コンテナの底面四隅部に嵌合凸部を突設し、該嵌合凸部に下方が開口した係合凹部を設けるとともに、前記大型折り畳みコンテナの上面の四隅部には、長辺板上面端部と短辺板上面端部とにわたって前記小型コンテナの嵌合凸部を嵌合可能な嵌合凹部を設け、該大型折り畳みコンテナの長辺板上面中央部には、前記スタック時に前記小型コンテナの嵌合凸部の一部を収納可能な収納凹部を設けるとともに、該収納凹部内に前記嵌合凸部に設けた係合凹部に係合する係合凸部を設けたことを特徴とするコンテナのスタック構造。
【発明の詳細な説明】
【技術分野】
【０００１】
本発明は、コンテナのスタック構造に関し、詳しくは、大型折り畳みコンテナの上に小型コンテナを安定した状態でスタックするための構造に関する。
【背景技術】
【０００２】
大型折り畳みコンテナの上部に小型折り畳みコンテナを安定した状態でスタックするための構造として、大型折り畳みコンテナのフランジ部の上面に、上に位置する小型折り畳みコンテナの底部裏面に形成された凹部に嵌合可能な嵌合凸部を形成したもの知られている（例えば、特許文献１参照。）。
【特許文献１】特開２００２−１２８０７１号公報
【発明の開示】
【発明が解決しようとする課題】
【０００３】
しかし、上述のような嵌合凸部を形成すると、フランジ部の上面から突出した嵌合凸部が物品の出し入れ時に邪魔になることがある。また、この大型折り畳みコンテナの上に段ボール箱等を載置したときに、嵌合凸部が箱底面に食い込んでしまうこともある。
【０００４】
そこで本発明は、大型折り畳みコンテナのフランジ部上面をフラットな状態としたままで小型コンテナを安定した状態でスタックすることができるコンテナのスタック構造を提供することを目的としている。
【課題を解決するための手段】
【０００５】
上記目的を達成するため、本発明のコンテナのスタック構造は、矩形状の底板と、該底板の対向する長辺に下辺が回動可能に連結された一対の長辺板と、底板の対向する短辺に下辺が回動可能に連結された一対の短辺板とを有し、折り畳み時には底板上面に短辺板、長辺板の順に重ねて折り畳まれ、組立時には底板から立ち上げた両長辺板の内面両端部間に短辺板の両端を挟むようにして組み立てられる大型折り畳みコンテナの上に、長辺側の長さが大型折り畳みコンテナの短辺側の長さに相当し、短辺側の長さが大型折り畳みコンテナの長辺側の長さの半分に相当する小型コンテナを、該小型コンテナの一方の長辺側底辺を大型折り畳みコンテナの一方の短辺側上部に載置し、小型コンテナの短辺側底辺を大型折り畳みコンテナの長辺側上部一半部に載置した状態でスタックするための構造であって、前記小型コンテナの底面四隅部に嵌合凸部を突設し、該嵌合凸部に下方が開口した係合凹部を設けるとともに、前記大型折り畳みコンテナの上面の四隅部には、長辺板上面端部と短辺板上面端部とにわたって前記小型コンテナの嵌合凸部を嵌合可能な嵌合凹部を設け、該大型折り畳みコンテナの長辺板上面中央部には、前記スタック時に前記小型コンテナの嵌合凸部の一部を収納可能な収納凹部を設けるとともに、該収納凹部内に前記嵌合凸部に設けた係合凹部に係合する係合凸部を設けたことを特徴としている。
【発明の効果】
【０００６】
本発明のコンテナのスタック構造によれば、大型折り畳みコンテナに小型コンテナをスタックしたときに、小型コンテナ底面の嵌合凸部及び係合凹部と、大型折り畳みコンテナフランジ部上面の嵌合凹部、収納凹部及び係合凸部とがそれぞれ嵌り合う状態になるので、大型折り畳みコンテナに小型コンテナを安定した状態でスタックできるとともに、大型折り畳みコンテナの長辺板中央部が変形することを防止できる。また、大型折り畳みコンテナのフランジ部上面がフラットであるから、段ボール箱等を積み重ねても段ボール箱等の底面を損傷することがない。
【発明を実施するための最良の形態】
【０００７】
図１乃至図３は本発明における大型折り畳みコンテナの一形態例を示すもので、図１は斜視図、図２は平面図、図３は要部の拡大斜視図である。図４乃至図６は本発明における小型コンテナの一形態例を示すもので、図４は斜視図、図５は底面図、図６は要部の拡大斜視図である。図７は大型折り畳みコンテナに２個の小型コンテナをスタックした状態を示す正面図である。
【０００８】
まず、図１乃至図３に示す大型折り畳みコンテナ１１は、長辺１２ａ及び短辺１２ｂを有する矩形状の底板１２と、該底板１２の対向する長辺１２ａに下辺が回動可能に連結された一対の長辺板１３，１３と、底板の対向する短辺１２ｂに下辺が回動可能に連結された一対の短辺板１４，１４とを有し、組立時には、長辺板１３，１３の両端に短辺板１４，１４が挟み込まれた状態で、上方が開口した箱状となるように形成されている。
【０００９】
この大型折り畳みコンテナ１１を折り畳む際には、まず、短辺板１４，１４をコンテナ内方に回動させて底板１２の上面に折り畳み、次いで、長辺板１３，１３をコンテナ内方に回動させて短辺板１４，１４の上に重ねて折り畳む。また、折り畳み状態で、長辺板１３，１３を底板１２に対して略垂直に立ち上げた後、短辺板１４，１４を底板１２に対して略垂直に立ち上げることにより、図１に示す組立状態となる。長辺板１３の両端部と短辺板１４の両端部とには、長辺板１３と短辺板１４とを組立状態に保持するための図示しない係止部及び係合部がそれぞれ設けられている。
【００１０】
一方、図４乃至図６に示す小型コンテナ２１は、基本的に前記大型折り畳みコンテナ１１と同じような形状に形成されるものであって、長辺２２ａ及び短辺２２ｂを有する矩形状の底板２２と、該底板２２の対向する長辺２２ａに下辺が回動可能に連結された一対の長辺板２３，２３と、底板の対向する短辺２２ｂに下辺が回動可能に連結された一対の短辺板２４，２４とを有し、組立時には、長辺板２３，２３の両端に短辺板２４，２４が挟み込まれた状態で、上方が開口した箱状となるように形成されている。
【００１１】
この小型コンテナ２１は、長辺側の長さが大型折り畳みコンテナの短辺側の長さに相当し、短辺側の長さが大型折り畳みコンテナの長辺側の長さの半分に相当するように形成されており、図７に示すように、小型コンテナ２１の一方の長辺側底辺を大型折り畳みコンテナ１１の一方の短辺側上部に載置し、小型コンテナ２１の短辺側底辺を大型折り畳みコンテナ１１の長辺側上部一半部に載置した状態でスタックできるようにしている。
【００１２】
小型コンテナ２１の底面には、矩形状の外周形状を有し、組立状態の小型コンテナ２１の上部開口内に嵌合する突出部２５が複数のリブを交差させた状態で設けられるとともに、その四隅部には、嵌合凸部２６がそれぞれＬ字状に突設している。図６に示すように、この嵌合凸部２６は、突出部２５と同様に、底面から突設した複数のリブ２６ａを組み合わせて形成したものであって、下縁が突出部２５の下縁と面一に形成されるとともに、該突出部２５の短辺側には、下方が開口した係合凹部２７が設けられている。
【００１３】
また、小型コンテナ２１の上面フランジ部の四隅には、前記嵌合凸部２６が嵌合可能なＬ字状の嵌合凹部２８がそれぞれ設けられており、小型コンテナ２１同士をスタックしたときには、上方の小型コンテナ２１の底面から突出した突出部２５が長辺板２３及び短辺板２４の内側に嵌合し、四隅部の嵌合凸部２６が嵌合凹部２８にそれぞれ嵌合した状態となるように形成されている。これにより、小型コンテナ２１同士のスタックも安定した状態で行うことができる。
【００１４】
そして、前記大型折り畳みコンテナ１１の上面四隅部には、小型コンテナ２１の前記嵌合凸部２６が嵌合可能な嵌合凹部１５が長辺板１３のフランジ部上面端部と短辺板１４のフランジ部上面端部とにわたってＬ字状に設けられるとともに、長辺板１３のフランジ部上面中央部には、小型コンテナ２１の嵌合凸部２６の短辺側部分を収納可能な収納凹部１６が設けられている。さらに、この収納凹部１６の上面には、図７に示すように、２個の小型コンテナ２１をスタックしたときに、両小型コンテナ２１の嵌合凸部２６に設けた各係合凹部２７にそれぞれ係合する２個の係合凸部１７が設けられている。
【００１５】
大型折り畳みコンテナ１１の上に２個の小型コンテナ２１をスタックすると、各小型コンテナ２１の４個の嵌合凸部２６の内、２個が大型折り畳みコンテナ１１の嵌合凹部１５にそれぞれ嵌合した状態となり、残りの２個の嵌合凸部２６が大型折り畳みコンテナ１１の収納凹部１６にそれぞれ収納されるとともに、該嵌合凸部２６の係合凹部２７に、収納凹部１６に突設した係合凸部１７がそれぞれ係合した状態となる。また、小型コンテナ２１の底面に突設した突出部２５の三辺は、長辺側の一辺が大型折り畳みコンテナ１１の短辺板１４の内側に嵌り込み、短辺側の二辺は、大型折り畳みコンテナ１１の対向する長辺板１３の内側に嵌り込んだ状態となる。
【００１６】
このように、小型コンテナ２１に設けた係合凹部２７と、大型折り畳みコンテナ１１に設けた係合凸部１７とを係合させることにより、大型折り畳みコンテナ１１の長辺板１３がコンテナ外方に向かって変形することを確実に防止できるので、小型コンテナ２１が大型折り畳みコンテナ１１の内部に落ち込むことがなくなる。さらに、大型折り畳みコンテナ１１のフランジ部上面をフラットに形成しているので、物品の出し入れを容易に行えるとともに、大型折り畳みコンテナ１１の上に段ボール箱等を載置しても損傷を与えることがない。また、大型折り畳みコンテナ１１の上に小型コンテナ２１を１個だけスタックした場合でも、係合凸部１７と係合凹部２７とが係合するので、長辺板１３の変形を防止できる。
【００１７】
なお、本形態例では、小型コンテナ２１として大型折り畳みコンテナ１１と同様の折り畳み構造を有する折り畳みコンテナを例示したが、他の折り畳み構造を有する折り畳みコンテナであってもよく、折り畳み構造を持たない箱形のコンテナであってもよい。また、大型折り畳みコンテナ１１の底面にも、上面の嵌合凹部１５、収納凹部１６にそれぞれ対応した凸部を形成し、係合凸部１７に対応した係合凹部を設けておくことにより、大型折り畳みコンテナ１１を積み重ねた際の安定性を向上させることができる。
【図面の簡単な説明】
【００１８】
【図１】本発明における大型折り畳みコンテナの一形態例を示す斜視図である。
【図２】同じく平面図である。
【図３】同じく要部の拡大斜視図である。
【図４】本発明における小型コンテナの一形態例を示す斜視図である。
【図５】同じく底面図である。
【図６】同じく要部の拡大斜視図である。
【図７】大型折り畳みコンテナに２個の小型コンテナをスタックした状態を示す正面図である。
【符号の説明】
【００１９】
１１…大型折り畳みコンテナ、１２…底板、１３…長辺板、１４…短辺板、１５…嵌合凹部、１６…収納凹部、１７…係合凸部、２１…小型コンテナ、２２…底板、２３…長辺板、２４…短辺板、２５…突出部、２６…嵌合凸部、２７…係合凹部、２８…嵌合凹部
【図１】
2006335388.tif 000003
【図２】
2006335388.tif 000004
【図３】
2006335388.tif 000005
【図４】
2006335388.tif 000006
【図５】
2006335388.tif 000007
【図６】
2006335388.tif 000008
【図７】
2006335388.tif 000009